(57)【要約】【課題】  操作し易い場所に設置しても誤操作を防止でき、加えて美観上も好ましい形状にできる感震通知装置を提供する。【解決手段】 スイッチボックス５に収容可能なハウジング１に、加速度センサ１３及び震度を判定する制御部１５が組み込まれると共に、ハウジング１の前面に感震動作を開始する震度を設定する震度設定部２１、一定時間を設定する遅延時間設定部２２、遮断信号の出力を中止するためのリセットボタン２４を備えた操作部１２が配置されて成り、更にハウジング１の前面を覆う蓋板３を備えて、蓋板３を介してリセットボタン２４の操作を可能とした。【選択図】  図１
2019200164.tif 000002
【特許請求の範囲】
【請求項１】
加速度センサ、震度判定回路、及び信号出力部を有して、所定震度以上の地震が発生したら、一定時間後に電路を遮断するための遮断信号を前記信号出力部から出力する感震動作を開始する感震通知装置であって、
スイッチボックスに収容可能なハウジングに、前記加速度センサ及び震度判定回路が組み込まれると共に、
前記ハウジングの前面に、前記感震動作を開始する震度を設定する震度設定部、前記一定時間を設定する遅延時間設定部、前記遮断信号の出力を中止するためのリセットボタンを備えた操作部が配置されて成り、
更に前記操作部を配置したハウジング前面を覆う蓋板を備えて、当該蓋板を介して前記リセットボタンの操作が可能なことを特徴とする感震通知装置。
【請求項２】
前記ハウジングの前面には、前記感震動作を開始したことを発光通知する通知部が設けられていると共に、前記蓋板は前記通知部の発光を前方から認識可能とする透光部を有することを特徴とする請求項１記載の感震通知装置。
【請求項３】
前記蓋板の透光部は、背部に前記通知部の光の透過により浮かび上がる文字情報或いは画像が配置されていることを特徴とする請求項２記載の感震通知装置。
【請求項４】
前記文字情報或いは画像が、前記リセットボタンの位置を示すことを特徴とする請求項３記載の感震通知装置。
【請求項５】
前記通知部の発光を制御する発光制御部を有し、
前記発光制御部は、感震動作を開始したら前記通知部を発光させ、その後遮断信号を出力する一定時間前になったら前記通知部の発光状態を変更することを特徴とする請求項３又は４記載の感震通知装置。
【請求項６】
前記蓋板は、前記ハウジングに蝶着されて開閉可能に取り付けられ、
前記蓋板を開操作することで、前記震度設定部、前記遅延時間設定部、及び前記リセットボタンが露出して直接操作が可能となることを特徴とする請求項１乃至５の何れかに記載の感震通知装置。
【請求項７】
前記蓋板が、スイッチボックスに収容された前記ハウジングに対して、ハウジング前面に加えて前記スイッチボックス全体を覆う前面カバーであり、
前記前面カバーの所定部位を押圧することで、前記リセットボタンの操作が可能であることを特徴とする請求項１乃至５の何れかに記載の感震通知装置。
【請求項８】
前記操作部は、遮断動作をテストするテストボタンを含むことを特徴とする請求項１乃至７の何れかに記載の感震通知装置。
【発明の詳細な説明】
【技術分野】
【０００１】
本発明は所定震度以上の地震が発生したら、それを感知して電路の遮断等の感震動作を実施する感震通知装置に関する。
【背景技術】
【０００２】
一定震度以上の地震が発生したら、それを検知して電路の遮断等のために信号を出力する感震リレーがある。この電路の遮断のために使用される感震リレーは、通常は分電盤内の漏電遮断器を遮断動作させて電路を遮断するため、分電盤内或いはその近傍に設置された（例えば、特許文献１参照）。
感震リレーは、このように分電盤内或いはその近傍に設置されるため、感震震度の設定等する場合は分電盤内或いはその近傍の操作となり操作し辛かった。そこで、操作部を独立させてリビング等で操作可能としたシステムがある。例えば特許文献２では、感震リレーに無線通信する制御ユニットを接続する一方で、リビング等操作し易い場所に通知ユニットを設置し、制御ユニットと通知ユニットとの間で通信することで、感震リレーの感震震度等の設定を可能とした。
【先行技術文献】
【特許文献】
【０００３】
【特許文献１】特開２０１７−３４９０９号公報
【特許文献２】特開２０１６−２００５７４号公報
【発明の概要】
【発明が解決しようとする課題】
【０００４】
上記操作部を分電盤外の操作し易い場所に設けたシステムは、震度設定やリセット操作がし易かった。しかしながら、通知ユニットは設定操作のためのボタン等の複数の操作部が存在するし、ハウジングが比較的大きかったため、利用者によってはリビング等の操作し易い場所であっても人目に触れる場所への設置を望まない場合があった。
また、操作し易い場所に設置すると、子供が誤って操作してしまう場合も発生し、操作性と誤操作防止の兼ね合いが難しかった。
【０００５】
そこで、本発明はこのような問題点に鑑み、操作し易い場所に設置しても誤操作を防止でき、加えて美観上も好ましい形状にできる感震通知装置を提供することを目的としている。
【課題を解決するための手段】
【０００６】
上記課題を解決する為に、請求項１の発明は、加速度センサ、震度判定回路、及び信号出力部を有して、所定震度以上の地震が発生したら、一定時間後に電路を遮断するための遮断信号を信号出力部から出力する感震動作を開始する感震通知装置であって、スイッチボックスに収容可能なハウジングに、加速度センサ及び震度判定回路が組み込まれると共に、ハウジングの前面に、感震動作を開始する震度を設定する震度設定部、一定時間を設定する遅延時間設定部、遮断信号の出力を中止するためのリセットボタンを備えた操作部が配置されて成り、更に操作部を配置したハウジング前面を覆う蓋板を備えて、当該蓋板を介してリセットボタンの操作が可能なことを特徴とする。
この構成によれば、操作部は蓋板で覆われており、露出していないため誤操作し難いし、外観上もすっきりでき好ましい。それでいて、リセットボタンは蓋板の上から操作できるため、操作性が良い。
また、ハウジングはスイッチボックスに収容できるため、壁面に設置しても壁面からの突出を壁面コンセントのように僅かにできるし、スイッチボックスに収容することで信号線は電源線と同様に壁面内に配設でき、美観上も好ましくリビング等の人目につく場所でも違和感無く設置できる。
【０００７】
請求項２の発明は、請求項１に記載の構成において、ハウジングの前面には、感震動作を開始したことを発光通知する通知部が設けられていると共に、蓋板は通知部の発光を前方から認識可能とする透光部を有することを特徴とする。
この構成によれば、蓋板が通知部を覆っていても、蓋板を介して感震動作を開始したことを認識でき、居住者は対処し易い。また、通知部も露出していないため、外観上好ましい。
【０００８】
請求項３の発明は、請求項２に記載の構成において、蓋板の透光部は、背部に通知部の光の透過により浮かび上がる文字情報或いは画像が配置されていることを特徴とする。
この構成によれば、感震動作を開始すると、文字情報或いは画像が蓋板に浮かび上がってくるため、例えば「まもなく停電します」の文字を浮かび上がらせることで、居住者はそれを認識でき、躊躇無く必要な行動を取ることができる。
【０００９】
請求項４の発明は、請求項３に記載の構成において、文字情報或いは画像が、リセットボタンの位置を示すことを特徴とする。
この構成によれば、リセットボタンの位置が表示されるため、操作する部位が分かりやすく、慌てることなく操作できる。
【００１０】
請求項５の発明は、請求項３又は４に記載の構成において、通知部の発光を制御する発光制御部を有し、発光制御部は、感震動作を開始したら通知部を発光させ、その後遮断信号を出力する一定時間前になったら通知部の発光状態を変更することを特徴とする。
この構成によれば、通知部の発光状態が途中から変化するため、停電制御が近づいたことを把握でき、居住者は対処し易い。
【００１１】
請求項６の発明は、請求項１乃至５の何れかに記載の構成において、蓋板は、ハウジングに蝶着されて開閉可能に取り付けられ、蓋板を開操作することで、震度設定部、遅延時間設定部、及びリセットボタンが露出して直接操作が可能となることを特徴とする。
この構成によれば、蓋板はハウジングに蝶着されているため容易に開けることができ、開ければ震度設定等を行うことができ、利便性が良い。
【００１２】
請求項７の発明は、請求項１乃至５の何れかに記載の構成において、蓋板が、スイッチボックスに収容されたハウジングに対して、ハウジング前面に加えてスイッチボックス全体を覆う前面カバーであり、前面カバーの所定部位を押圧することで、リセットボタンの操作が可能であることを特徴とする。
この構成によれば、蓋板をスイッチボックスを覆う前面カバーで兼用させることで、部材を削減できるし、美観上も好ましい。
【００１３】
請求項８の発明は、請求項１乃至７の何れかに記載の構成において、操作部は、遮断動作をテストするテストボタンを含むことを特徴とする。
この構成によれば、遮断動作の確認ができるため、安心できる。
【発明の効果】
【００１４】
本発明によれば、操作部は蓋板で覆われており、露出していないため誤操作し難いし、外観上もすっきりでき好ましい。それでいて、リセットボタンは蓋板の上から操作できるため、操作性が良い。
また、ハウジングはスイッチボックスに収容できるため、壁面に設置しても壁面からの突出を壁面コンセントのように僅かにできるし、スイッチボックスに収容することで信号線は電源線と同様に壁面内に配設でき、美観上も好ましくリビング等の人目につく場所でも違和感無く設置できる。
【図面の簡単な説明】
【００１５】
【図１】本発明に係る感震通知装置の一例を示す斜視図であり、前面カバーを組み付けた状態を示している。
【図２】図１の正面図である。
【図３】図１の感震通知装置をスイッチボックスに組み付ける際の構成部材を加えた説明図であり、各部材を感震通知装置から分離して示している。
【図４】図１の蓋板を外した感震通信装置の斜視説明図である。
【図５】図１の感震通知装置の機能ブロック図である。
【図６】図２のＡ−Ａ線断面図である。
【図７】図６のＢ部拡大図である。
【図８】感震通知装置の他の形態を示す斜視図である。
【図９】感震通知装置の他の形態を示す斜視図である。
【発明を実施するための形態】
【００１６】
以下、本発明を具体化した実施の形態を、図面を参照して詳細に説明する。図１は発明に係る感震通知装置１０の一例を示し前面カバーを配置した斜視図、図２は図１の正面図、図３は感震通知装置１０をスイッチボックスに組み付ける際の構成部材を加えた説明図であり、１は壁面に埋設されたスイッチボックス５に収容される感震通知装置１０のハウジング、２はハウジング１の開放された前面に配置される前面板２、３は前面板２を覆う蓋板、６は感震通知装置１０の周囲を閉塞するための前面カバーである。
感震通知装置１０は、ハウジング１と前面板２とで本体を形成し、前面板２に蓋板３が取り付けられて構成されている。
尚、７はスイッチボックス５の中にハウジング１を固定するためのハウジング固定枠、８は前面カバー６をスイッチボックス５に固定するための前面板固定枠である。
【００１７】
蓋板３は上端が前面板２に蝶着され、上下方向の開閉操作が可能となっており、開操作により前面板２が露出する。また前面カバー６は、スイッチボックス５全体を覆う大きさを有し、中央に蓋板３を露出させる開口部Ｄが形成されている。前面カバーは、前面カバー６がスイッチボックス５に取り付けられた状態で、開閉操作が可能となっており、図１は蓋板３を開けた状態を示している。
【００１８】
図４は蓋板３を外して前面板２を露出させた斜視説明図であり、図４に示すように前面板２の露出する部位には、スライド形の切替スイッチから成り遮断信号を出力する、即ち感震動作を開始する震度を設定する震度設定部２１、同様にスライド形の切替スイッチから成り地震を感知してから遮断信号を出力するまでの遅延時間を設定する遅延時間設定部２２、遮断動作をテストするテストボタン２３、感震動作を停止させて遮断信号の出力を中止する（遮断動作をリセットする）リセットボタン２４が配置されている。また、地震を感知して遮断制御を開始したら発光する通知部としてのＬＥＤ１４ａがハウジング１内に設けられ、このＬＥＤ１４ａを露出させる露出窓２５が前面板２に設けられている。
【００１９】
また蓋板３の裏面には、リセットボタン２４の位置を示すためのシールＳが貼着されており、図４はこのシールＳを貼着する様子を示している。このシールＳは、ＬＥＤ１４ａの前方となる蓋板３の光を透過させる透光部に貼着され、ＬＥＤ１４ａに照らされることで、リセットボタン２４の位置が蓋板３に浮かび上がり、前方から認識できるよう構成されている。図２の破線で示す「地震感知リセット」の表示Ｓ１はこのシールＳの文字が浮かび上がった状態を示し、リセット操作する操作部位がその近傍に設けられていることを示している。
【００２０】
図５は感震通知装置１０の機能ブロック図を示している。図５に示すように、感震通知装置１０は、震度設定部２１、遅延時間設定部２２、テストボタン２３、リセットボタン２４等を備えた操作部１２に加えて、揺れを検知する加速度センサ１３、ＬＥＤ１４ａ及びブザー１４ｂを備えた表示部１４、揺れの大きさを判断すると共に感震通知装置１０を制御するＣＰＵを具備した制御部１５、遮断信号を出力する出力部１６、分電盤４から配設された電源線Ｌ１が接続されて感震通知装置１０を動作させる電源部１７等を備えている。尚、出力部１６に接続された信号線Ｌ２は、電源線Ｌ１と共に分電盤４との間に配設されてる。
【００２１】
このように構成された感震通知装置１０は、設定された震度以上の地震が発生するとそれを感知して、制御部１５の制御により感震動作を開始する。具体的に、地震感知を受けてＬＥＤ１４ａが発光すると共にブザー１４ｂが鳴動する。この動作で、感震動作が開始されたこと、即ち所定時間後に遮断信号を出力することを居住者に通知する。
【００２２】
更に、遮断信号を出力する３０秒前等の停電操作する直前になったら、ＬＥＤ１４ａの発光が点滅に変わり、ブザー１４ｂの鳴動も変化する。
このような動作を経て、設定された遅延時間が経過すると遮断信号が出力されて、分電盤４の主幹ブレーカ等が遮断動作し、電路が遮断されて停電となる。但し、感震動作を開始して遅延時間が経過する前にリセットボタン２４が操作されると、感震動作は停止して遮断信号が出力されない。
【００２３】
図６は図２のＡ−Ａ線断面を示し、感震通知装置１０の縦断面図である。ハウジング１がスイッチボックス５に収容された状態を示している。また、図７は図６のＢ部を拡大した図であり、リセットボタン２４とＬＥＤ１４ａの周辺を拡大した図である。
図７に示すように、リセットボタン２４は蓋板３の裏面に近接して配置され、合成樹脂で形成された蓋板３のリセットボタン２４の前方となるエリアＰを押圧して撓ませることでリセット操作が可能となっている。また露出窓２５は、蓋板３のシールＳが貼着されたエリアＭにＬＥＤ１４ａの光が照射されるよう形成されている。
【００２４】
このように、操作部１２は蓋板３で覆われており、露出していないため誤操作し難いし、外観上もすっきりでき好ましい。それでいて、リセットボタン２４は蓋板３の上から操作できるため、操作性が良い。
また、ハウジング１はスイッチボックス５に収容できるため、壁面に設置しても壁面から突出しないよう構成できるし、スイッチボックス５に収容することで信号線は電源線と同様に壁面内に配設でき、美観上も好ましくリビング等の人目につく場所でも違和感無く設置できる。
更に、蓋板３がＬＥＤ１４ａを覆っていても、蓋板３がＬＥＤ１４ａの光を透過させて前方からＬＥＤ１４ａの発光を認識できるため、蓋板３を介して感震動作を開始したことを認識でき、居住者は対処し易い。加えて、ＬＥＤ１４ａの発光によりリセットボタン２４の位置を認識できるため、操作する部位が分かりやすく、慌てることなく操作できる。
また、ＬＥＤ１４ａの発光状態が途中から変化するため、停電制御が近づいたことを把握でき、居住者は対処し易いし、蓋板３はハウジング１に蝶着されているため容易に開けることができ、開ければ震度設定やテスト操作等を行うことができ、利便性が良いし安心できる。
【００２５】
図８は感震通知装置１０の他の形態を示している。上記形態とは、ハウジング１の前面には前面板２（図示せず）が設けられて、震度設定部２１等の操作部１２が設けられている構成は共通しているが、蓋板３を持たず、開口部Ｄの無い前面カバー６（６ａ）がハウジング１の前面を覆っている点が相違している。
【００２６】
前面カバー６ａの背面の所定部位には、上記図４のシールＳと同様のシールＳが貼着されており、地震を感知して感震動作を開始すると、動作開始を通知するためのＬＥＤ１４ａが発光し、この光は図８のＳ１で示すように前面カバー６ａを透過することでシールＳの文字「地震感知リセット」が表示されて、感知動作を開始したことを発光により通知すると共に、リセットボタン２４の場所を通知する。
この場合、操作部１２の操作は、前面カバー６ａを取り外して実施されるが、感震通知装置１０を設置した際の初期設定で操作される以外は殆ど操作されないため、使用する居住者にとっては図１に示す開閉可能な蓋板３が無くとも支障がない。
【００２７】
このように、蓋板３をスイッチボックス５を覆う前面カバー６ａと兼用とすることで、部材を削減できるし、美観上も好ましい。そして、操作部１２が簡単に操作できないことで、子供が触って設定が変更されるのを防止できるし、感震動作を開始するとリセットボタン２４の位置が表示されるため、上記図１の構成と同様にリセット操作し易い。
【００２８】
図９は更に他の形態を示している。図１の形態と同様に、ハウジング１の前面に蓋板３（３ａ）を設けて、その周囲を前面カバー６で覆っているが、リセットボタン２４の位置は、図９のＳ２で示すように蓋板３ａの表面に文字で表示されており、このリセット操作部位に隣接して表示エリアＥが設けられている。
そして、この表示エリアＥの背部に、感震動作を受けて発光するＬＥＤ１４ａが配置されている。
【００２９】
蓋板３ａの表示エリアＥの裏面には、例えば「まもなく停電します」の文字シール（図示せず）が貼着されており、ＬＥＤ１４ａが発光して照射されると「まもなく停電します」の文字が浮かび上がって前方から視認できるよう構成されている。
この表示により、居住者はまもなく停電することを認識できるし、この表示に隣接した部位にリセットボタン２４が配置されているため、停電制御されなくても良いと居住者が判断した場合に容易にリセット操作でき、居住者にとって利便性が良い。
このように、感震動作を開始すると、「まもなく停電します」等の文字情報が蓋板３に浮かび上がってくるため、居住者は停電操作されることを認識でき、躊躇無く必要な行動を取ることができる。
【００３０】
尚、上記図９の実施形態は、蓋板３ａに表示エリアＥを設けているが、図８に示すように開口部Ｄの無い前面カバー６ａを使用して、この前面カバー６ａに表示エリアＥを形成しても良い。
【符号の説明】
【００３１】
１・・ハウジング、２・・前面板、３，３ａ・・蓋板、４・・分電盤、５・・スイッチボックス、６，６ａ・・前面カバー、１０・・感震通知装置、１２・・操作部、１３・・加速度センサ、１４・・表示部、１４ａ・・ＬＥＤ（通知部）、１５・・制御部（震度判定回路）、１６・・出力部（信号出力部）、２１・・震度設定部、２２・・遅延時間設定部、２３・・テストボタン、２４・・リセットボタン、２５・・露出窓、３１・・枠部、Ｄ・・開口部、Ｓ・・シール。
【図１】
2019200164.tif 000003
【図２】
2019200164.tif 000004
【図３】
2019200164.tif 000005
【図４】
2019200164.tif 000006
【図５】
2019200164.tif 000007
【図６】
2019200164.tif 000008
【図７】
2019200164.tif 000009
【図８】
2019200164.tif 000010
【図９】
2019200164.tif 000011